(57)【要約】【課題】地震やその他の振動発生時に、収納空間に収納した物品が落下したり、飛び出したりするのを防止する物品落下防止装置を提供する。【解決手段】収納家具の両側板１の内面前部に取り付けられる一対のベース部材５と、このベース部材５に軸支されて上下に回動する落下防止部材６を備え、ベース部材５は、縦方向の長孔とした軸支孔７を下部に設けると共に、上方開放の軸支溝８を上部に設けたものとし、落下防止部材６は、水平バー９と、この水平バー９の両端に設けた回動アーム１０とからなり、この回動アーム１０には、支軸部１０ａを基端に設けると共に、支持部１０ｂを回動端に設けたものとし、回動アーム１０の支軸部１０ａを、ベース部材５の軸支孔７に昇降自在に軸支したものとし、落下防止部材６を上昇させて上方向に回動させた状態では、この落下防止部材６の回動アーム１０の支持部１０ｂが、ベース部材５の軸支溝８に支持されるようにしている。【選択図】図２
2013128552.tif 000002
【特許請求の範囲】
【請求項１】
収納家具の両側板（１）の内面前部に取り付けられる一対のベース部材（５）と、このベース部材（５）に軸支されて上下に回動する落下防止部材（６）を備え、前記ベース部材（５）は、縦方向の長孔とした軸支孔（７）を下部に設けると共に、上方開放の軸支溝（８）を上部に設けたものとし、前記落下防止部材（６）は、水平バー（９）と、この水平バー（９）の両端に設けた回動アーム（１０）とからなり、この回動アーム（１０）には、支軸部（１０ａ）を基端に設けると共に、支持部（１０ｂ）を回動端に設けたものとし、前記回動アーム（１０）の支軸部（１０ａ）を、前記ベース部材（５）の軸支孔（７）に昇降自在に軸支したものとし、前記落下防止部材（６）を上昇させて上方向に回動させた状態では、この落下防止部材（６）の回動アーム（１０）の支持部（１０ｂ）が、前記ベース部材（５）の軸支溝（８）に支持されるようにしたことを特徴とする収納家具の物品落下防止装置。
【請求項２】
前記ベース部材（５）の軸支溝（８）の前壁（８ａ）を後壁（８ｂ）よりも低く形成したことを特徴とする請求項１記載の収納家具の物品落下防止装置。
【請求項３】
収納家具の棚板（３ａ）の前部に段差（１３）を設け、前記落下防止部材（６）を下降させて下方向に回動させた状態では、この落下防止部材（６）の水平バー（９）が、下がった状態となって前記段差（１３）の直前に位置するようにしたことを特徴とする請求項１又は２記載の収納家具の物品落下防止装置。
【発明の詳細な説明】
【技術分野】
【０００１】
この発明は、キャビネット等の収納家具に収納された物品の落下防止装置に関するものである。
【背景技術】
【０００２】
従来、キャビネット等の収納家具としては、例えば図１３に示したように、左右二枚の両側板２１、天板２２、複数の棚板２３及び背板２４を組み合わせ、前面を開口した箱状体とし、複数段の収納空間２５を備え、下部に複数段の引出し２６を備えたものが存在する（非特許文献１）。
【０００３】
前記複数段の収納空間２５には、図示したように、複数の書籍、ファイル等を横並びにして、棚板２３の上にそのまま立て掛けられている。
【先行技術文献】
【特許文献】
【０００４】
【非特許文献１】生興株式会社の２０１１年度版のオフィス家具総合カタログ（第２５０ページ）
【発明の概要】
【発明が解決しようとする課題】
【０００５】
しかしながら、上記従来の収納家具では、地震やその他の振動発生時に、収納空間２５に収納した書籍、ファイル等の物品が前方に揺れ動いて、収納空間２５からこれら各種の物品が落下したり、飛び出したりするという問題点を有していた。
【０００６】
そこで、この発明は、上記従来の収納家具の問題点を解決するためになされたものであり、地震やその他の振動発生時に、収納空間に収納した書籍、ファイル等の物品が落下したり、飛び出したりするのを防止する物品落下防止装置を提供することを目的としてなされたものである。
【課題を解決するための手段】
【０００７】
そのため、この発明の収納家具の物品落下防止装置は、収納家具の両側板１の内面前部に取り付けられる一対のベース部材５と、このベース部材５に軸支されて上下に回動する落下防止部材６を備え、前記ベース部材５は、縦方向の長孔とした軸支孔７を下部に設けると共に、上方開放の軸支溝８を上部に設けたものとし、前記落下防止部材６は、水平バー９と、この水平バー９の両端に設けた回動アーム１０とからなり、この回動アーム１０には、支軸部１０ａを基端に設けると共に、支持部１０ｂを回動端に設けたものとし、前記回動アーム１０の支軸部１０ａを、前記ベース部材５の軸支孔７に昇降自在に軸支したものとし、前記落下防止部材６を上昇させて上方向に回動させた状態では、この落下防止部材６の回動アーム１０の支持部１０ｂが、前記ベース部材５の軸支溝８に支持されるようにしている。
【０００８】
さらに、この発明の収納家具の物品落下防止装置は、前記ベース部材５の軸支溝８の前壁８ａを後壁８ｂよりも低く形成したものとしている。
【０００９】
また、この発明の収納家具の物品落下防止装置は、収納家具の棚板３ａの前部に段差１３を設け、前記落下防止部材６を下降させて下方向に回動させた状態では、この落下防止部材６の水平バー９が、下がった状態となって前記段差１３の直前に位置するようにしている。
【発明の効果】
【００１０】
この発明の収納家具の物品落下防止装置は、以上に述べたように構成されているため、地震やその他の振動発生時に、収納空間に収納した書籍、ファイル等の物品が落下したり、飛び出したりするのを防止することができるものとなった。
【図面の簡単な説明】
【００１１】
【図１】この発明の収納家具の物品落下防止装置の一実施形態を示す全体斜視図である。
【図２】この発明の収納家具の物品落下防止装置の落下防止部材を倒した状態の斜視図である。
【図３】この発明の収納家具の物品落下防止装置の落下防止部材を倒した状態の正面図である。
【図４】この発明の収納家具の物品落下防止装置の落下防止部材を倒した状態の側面図である。
【図５】この発明の収納家具の物品落下防止装置の落下防止部材を立ち上げる途中の状態の斜視図である。
【図６】この発明の収納家具の物品落下防止装置の落下防止部材を立ち上げる途中の状態の正面図である。
【図７】この発明の収納家具の物品落下防止装置の落下防止部材を立ち上げる途中の状態の側面図である。
【図８】この発明の収納家具の物品落下防止装置の落下防止部材を立ち上げた状態の斜視図である。
【図９】この発明の収納家具の物品落下防止装置の落下防止部材を立ち上げた状態の正面図である。
【図１０】この発明の収納家具の物品落下防止装置の落下防止部材を立ち上げた状態の側面図である。
【図１１】この発明の収納家具の物品落下防止装置の使用状態（落下防止部材を倒した状態）を示す説明図である。
【図１２】この発明の収納家具の物品落下防止装置の使用状態（落下防止部材を立ち上げた状態）の説明図である。
【図１３】従来の収納家具の一例を示す全体斜視図である。
【発明を実施するための形態】
【００１２】
以下、この発明の収納家具の物品落下防止装置を実施するための形態を、図面に基づいて詳細に説明する。
【００１３】
この発明の収納家具としては、例えば図１に示したような、事務所向けのキャビネットとすることができ、左右二枚の両側板１、天板（図示せず）、底板（図示せず）及び背板２を組み合わせ、前面を開口した箱状体とし、上部に複数段の収納空間３を備え、下部に複数段の引出し４を備えたものとしている。
【００１４】
この発明の収納家具の物品落下防止装置は、前記両側板１の内面前部に取り付けられる一対のベース部材５と、このベース部材５に軸支されて上下に回動する落下防止部材６を備えたものとしている。
【００１５】
前記ベース部材５は、長円形等の縦方向の長孔とした軸支孔７を下部に設けると共に、上方開放の略Ｕ字の軸支溝８を上部に設けたものとしている。前記軸支孔７の縦方向の長さＬは、図３、６、９に示したように、軸支溝８の溝の深さＤと略同一寸法にしている。
【００１６】
前記落下防止部材６は、水平バー９と、この水平バー９の両端に設けた回動アーム１０とからなり、この回動アーム１０には、支軸部１０ａを基端に設けると共に、支持部１０ｂを回動端に設けたものとしている。さらに、前記回動アーム１０の支軸部１０ａを、前記ベース部材５の軸支孔７に昇降自在に軸支したものとしている。そして、前記落下防止部材６全体を上昇させて上方向に回動させた状態では、この落下防止部材６の回動アーム１０の支持部１０ｂが、前記ベース部材５の軸支溝８に支持されるようにしている。また、前記回動アーム１０は、基端に形成したネジ孔１１ａと、回動端に形成した通孔１１ｂとを、これらの間に形成したスリット１１ｃで連通したものとし、ネジ孔１１ａに支軸部１０ａとなるボルトのネジを捩じ込み、通孔１１ｂに支持部１０ｂとなる水平バー９の端部を突出させ、止ネジ１２により前記スリット１１ｃを狭めておくようにすることにより、基端に前記支軸部１０ａを堅固に設けると共に、回動端に前記支持部１０ｂを堅固に設けたものとしている。なお、前記支持部１０ｂは、水平バー９の端部として、この水平バー９と一体としたものとしているが、前記水平バー９とは別体としたものとしてもよい。
【００１７】
前記ベース部材５の軸支溝８の溝の深さＤは、図３、６、９に示したように、前記落下防止部材６の水平バー９の太さＴの略二倍の寸法としている。さらに、この軸支溝８は、前壁８ａを後壁８ｂよりも低く形成しており、前壁８ａを後壁８ｂの略１／２倍の寸法にしている。
【００１８】
この発明の収納家具において、前記収納空間３には、棚板３ａが設けられ、この棚板３ａの前部に段差１３を設けたものとしている。この段差１３の高さＨは、図３、６、９に示したように、前記落下防止部材６の水平バー９の太さＴと略同一寸法にするか、少し大きい寸法にしている。そして、前記落下防止部材６全体を下降させて下方向に回動させた状態では、この落下防止部材６の水平バー９が、下がった状態となって前記段差１３の直前に位置するようにしている。
【００１９】
以上に述べたように構成されたこの発明の収納家具の物品落下防止装置は、図２〜４に示したように、前記落下防止部材６全体を下降させて下方向に回動させて倒した状態にし、図１１に示したように、収納空間３に書類ファイルや収納ケース等の各種の物品を収納空間３に収納する。この場合、前記落下防止部材６の水平バー９は、下がった状態となって収納空間３の段差１３の直前に位置するようにしているため、この水平バー９が邪魔になることなく、前記各種の物品を収納空間３に滑り込ませるようにして、この収納空間３に簡単に収納することができる。
【００２０】
次に、前記落下防止部材６の水平バー９を手指で摘み、図５〜７に示したように、この落下防止部材６の回動アーム１０を上方向に９０°回動させる。さらに、図５〜７に示した状態から９０°回動させるとともに、水平バー９を持ち上げて、回動アーム１０の支軸部１０ａをベース部材５の軸支孔７の下方位置から上方位置に上昇させることにより、前記回動アーム１０の支持部１０ｂをベース部材５の支持溝８に差し込んで、図８〜１０に示したように、この支持溝８に支持させる。すると、前記落下防止部材６の水平バー９は、図１２に示したように、収納空間３に収納した各種の物品の前方に立ち上がった状態となる。この場合、前記軸支溝８の前壁８ａが後壁８ｂよりも低く形成されているため、前記水平バー９はこの軸支溝８に差し込み易いものとなる。
【００２１】
このようにすると、収納家具が地震やその他の振動発生時に、収納空間３に収納した各種の物品が前方に揺れ動いた場合にも、その物品の前端下部が前記落下防止部材６の水平バー９に当たって停止するので、収納空間３に収納した各種の物品は、この収納空間３にから落下したり、飛び出したりすることはない。
【００２２】
さらに、前記収納空間３に収納した各種の物品を取り出すには、図８〜１０に示した状態の落下防止部材６の水平バー９を手指で摘み、持ち上げて軸支溝８から外すと、回動アーム１０はその自重で下方向に回動すると共に、回動アーム１０の支軸部１０ａがベース部材５の軸支孔７の上方位置から下方位置に下降し、図２〜４に示した状態に戻る。この状態では、前記したように、落下防止部材６の水平バー９は、下がった状態となって収納空間３の段差１３の直前に位置し、この段差１３内に納まるようになるので、この水平バー９が邪魔になることなく、前記各種の物品を滑らせるようにして引き出すことができるので、この収納空間３から簡単に取り出すことができるものとなる。
【符号の説明】
【００２３】
１  側板
３ａ  棚板
５  ベース部材
６  落下防止部材
７  軸支孔
８  軸支溝
８ａ  前壁
８ｂ  後壁
９  水平バー
１０  回動アーム
１０ａ  支軸部
１０ｂ  支持部
１３  段差
【図１】
2013128552.tif 000003
【図２】
2013128552.tif 000004
【図３】
2013128552.tif 000005
【図４】
2013128552.tif 000006
【図５】
2013128552.tif 000007
【図６】
2013128552.tif 000008
【図７】
2013128552.tif 000009
【図８】
2013128552.tif 000010
【図９】
2013128552.tif 000011
【図１０】
2013128552.tif 000012
【図１１】
2013128552.tif 000013
【図１２】
2013128552.tif 000014
【図１３】
2013128552.tif 000015